(57)【要約】　【課題】　隣り合う永久磁石の身体に添わせる面の極性が互いに逆極性となる磁気治療具を、能率良く製造することができる磁気治療具の製造方法を提供する。　【解決手段】　複数の永久磁石３を隣り合う永久磁石３の極性が互いに逆極性となるように保持したダミー部材２に、生地裏面が表になるように裏返した状態でダンクトップ１を着せる。ダンクトップ１に複数の永久磁石４を供給し、当該永久磁石４をダミー部材２の永久磁石３で吸引して、ダンクトップ１の前記生地裏面の所定位置に治療用の永久磁石４を配置する。その後、前記治療用の永久磁石４をダンクトップ１に固定する。【選択図】　　　　図１
2004113786.tif 000002
【特許請求の範囲】
【請求項１】
　隣り合う永久磁石の極性が互いに逆極性となるように複数の永久磁石を保持したダミー部材に、シート部材の一方の面を添わせる工程と、
　前記ダミー部材に添わせたシート部材の他方の面に複数の永久磁石を供給し、当該永久磁石をダミー部材の永久磁石で吸引して、シート部材の他方の面の所定位置に治療用の永久磁石を配置する工程と、
　前記シート部材の他方の面に配置した治療用の永久磁石を、シート部材に取り付ける工程と
を含むことを特徴とする磁気治療具の製造方法。
【請求項２】
　前記永久磁石をダミー部材に埋め込んでいる請求項１記載の磁気治療具の製造方法。
【請求項３】
　前記シート部材が、タンクトップを構成する布地である請求項１記載の磁気治療具の製造方法。
【請求項４】
　前記ダミー部材として、身体の胴部に似せたマネキンを用い、前記タンクトップを前記マネキンに着せた状態で、治療用の永久磁石を供給する請求項３記載の磁気治療具の製造方法。
【発明の詳細な説明】
【技術分野】
【０００１】
　この発明は、身体に装着して肩こりや腰痛等の治療を行う磁気治療具を製造する方法に関する。
【背景技術】
【０００２】
　従来、肩こりを治療する磁気治療具として、タンクトップ形等の胴衣に永久磁石を取り付けたものや、腰に巻き付ける幅の広いベルトに永久磁石を取り付けたものが提供されている。この磁気治療具は、前記胴衣やベルトの患部に対応する部分に、前記永久磁石を複数個取り付けたものである。これら磁気治療具は、身体に装着した状態で永久磁石の磁気により血行を促進したり筋肉を弛緩させたりして、肩こりや腰痛を治療することができる。
【０００３】
　この種の磁気治療具においてその治療効果を高めるためには、永久磁石として異方性のものを使用し、隣り合う永久磁石の身体に添わせる面の極性が、互いに逆極性になるように配列するのが好ましい。その理由は、一つの永久磁石の例えばＮ極から出た磁力線が、当該一つの永久磁石のＳ極だけでなく、これに隣設された永久磁石のＳ極にも到達するので、磁気を身体に対して深く且つ広範囲に浸透させることができるからである。
【０００４】
　しかし、従来提供されている磁気治療具の多くは、各永久磁石の身体に添わせる面の極性が、全て同じ極性になっている。これは、磁気治療具の製造方法に起因している。すなわち、従来の磁気治療具は、永久磁石の素材である鉄系金属からなる円盤を、胴衣やベルトの所定位置に取り付けた状態で、各円盤を一斉に磁化して永久磁石を得ているので、必然的に各永久磁石の身体に添わせる面の極性が、全て同じ極性になる。このような製造方法は、磁気治療具を効率良くコスト安価に製造することができるという利点があるが、得られた磁気治療具は肩こり等の治療効果が低いという欠点がある。
【０００５】
　一方、隣り合う永久磁石の身体に添わせる面の極性が互いに逆極性となる磁気治療具は、予め製造しておいた永久磁石を、その極性を一つ一つ確認しながら胴衣やベルトに取り付ける必要がある。このため、その製造効率が悪くコストが高く付くという欠点がある。
る。
【発明の開示】
【発明が解決しようとする課題】
【０００６】
　この発明は、隣り合う永久磁石の身体に添わせる面の極性が互いに逆極性となる磁気治療具を、効率良く製造することができる磁気治療具の製造方法を提供することを目的とする。
【課題を解決するための手段】
【０００７】
　この発明の磁気治療具の製造方法は、隣り合う永久磁石の極性が互いに逆極性となるように複数の永久磁石を保持したダミー部材に、シート部材の一方の面を添わせる工程と、前記ダミー部材に添わせたシート部材の他方の面に複数の永久磁石を供給し、当該永久磁石をダミー部材の永久磁石で吸引して、シート部材の他方の面の所定位置に治療用の永久磁石を配置する工程と、前記シート部材の他方の面に配置した治療用の永久磁石を、シート部材に取り付ける工程とを含んでいる。
【０００８】
　このような構成の磁気治療具の製造方法によれば、シート部材の一方の面をダミー部材に添わせた状態で、シート部材の他方の面に治療用の永久磁石を供給するだけで、当該治療用の永久磁石を前記ダミー部材の永久磁石によって磁気吸引して、シート部材の所定位置に迅速に配置することができる。また、前記ダミー部材は、隣り合う永久磁石の極性を互いに逆極性にしているので、シート部材に配置した治療用の永久磁石についても、隣り合う永久磁石の極性が互いに逆極性となる。このため、極性を一つ一つ確認しながら治療用の永久磁石をシート部材に配置する必要がない
【０００９】
　前記ダミー部材としては、保持部材に永久磁石を埋め込んでいるものを用いるのが好ましく、この場合には、前記ダミー部材に永久磁石による凹凸が生じないので、ダミー部材に対してシート部材を容易且つ確実に添わせることができる。
　前記磁気治療具の製造方法において、前記シート部材はタンクトップを構成する布地であてもよく、この場合にはタンクトップ形の磁気治療具を効率よくコスト安価に製造することができる。また、この場合には、前記ダミー部材として、身体の胴部に似せたマネキンを用い、前記タンクトップを前記マネキンに着せた状態で、永久磁石を供給するのが好ましい。これにより、永久磁石を前記布地に対して正確な位置に配置することができる。
【発明の効果】
【００１０】
　この発明の磁気治療具の製造方法によれば、隣り合う永久磁石の身体に添わせる面の極性が互いに逆極性となる磁気治療具を、効率よくコスト安価に製造することができる。
【発明を実施するための最良の形態】
【００１１】
　図１はこの発明の磁気治療具の製造方法を示す工程図である。図１に示す実施の形態は、タンクトップ形の磁気治療具を製造する工程を示している。
　まず、図１の(a)(b)に示すように、予め縫製された磁気治療具用のタンクトップ１をダミー部材２に着せる。この際、タンクトップ１を予め裏返した状態でダミー部材２に着せる。これにより、タンクトップ１の生地の表面側をダミー部材２に添わせることができる。
【００１２】
　このダミー部材２は、身体の胴部に似せたマネキンからなり、その肩部２１及び背中部２２には円盤形の永久磁石３が複数個埋め込まれている。前記永久磁石３は、片面がＳ極を他面がＮ極を示す異方性のフェライト磁石からなる（図３参照）。この永久磁石３は、肩部２１から背中部２２にかけて、左右両側にそれぞれ一列ずつ配列されている。前記肩部２１及び背中部２２の永久磁石３は、身体の少なくとも肩から背中に至る僧帽筋に対応する位置に配列されており、特に背中部２２の永久磁石３については、背骨の両側の経穴（つぼ）又はその周辺に対応する位置に配列されている。さらに、上下方向及び左右方向において互いに隣り合う永久磁石３どうしは、極性が互いに逆極性になるように交互に逆向きに配列されている（図４参照）。また、各永久磁石３はダミー部材２と面一になるように当該ダミー部材２に埋め込まれている（図２参照）。これにより、ダミー部材２の表面に永久磁石３による凹凸が生じないので、当該タンクトップ１をダミー部材２に容易且つ正確に添わせることができる。
【００１３】
　次に、ダミー部材２に着せたタンクトップ１の肩部１１から背中部１２にかけて、多数の治療用の永久磁石４を降りかけて、ダミー部材２の永久磁石３に磁気吸着させる（図１(c)参照）。これにより、ダミー部材２の永久磁石３の配置パターンに対応させて、タンクトップ１に治療用の永久磁石４を添わせることができる。この際、前記ダミー部材２に埋め込んだ永久磁石３は、隣り合う永久磁石３の極性を互いに逆極性にしているので、タンクトップ１に添わせた治療用の永久磁石４についても、隣り合う永久磁石４の極性を互いに逆極性にすることができる（図５参照）。このため、極性を一つ一つ確認しながら治療用の永久磁石４をタンクトップ１に配置する必要がない。また、ダミー部材２の永久磁石３によって、治療用の永久磁石４をタンクトップ１の適正位置に正確に配置することができる。なお、ダミー部材２の永久磁石３に吸着されずに落下した余剰の永久磁石４は、回収されて他のタンクトップ１用の永久磁石４として再使用される。
【００１４】
　その後、タンクトップ１に添わせた治療用の永久磁石４を、タンクトップ１に固定する（図１(d)参照）。この固定方法としては、片面にホットメルト接着剤を塗布した円形シート６を、治療用の永久磁石４に被せ、その周囲の円形シート６を加熱器具で加熱して、接着剤を溶融させる方法が好適に用いられる。以上により肩部１１及び背中部１２に治療用の永久磁石４が取り付けられたタンクトップ型の磁気治療具Ａを製造することができる。
【００１５】
　このようにして得られた磁気治療具Ａは、治療用の永久磁石４を、背骨の両側の経穴又はその周辺に添わせることができるので、その磁気によって経穴を効果的に刺激することができ、肩こりを効果的に解消することができる。
　しかも、永久磁石４として異方性のものを使用し、これを身体に添わせる面の極性が互いに逆極性になるように配列しているので、一つの永久磁石４のＮ極から出た磁力線Ｊが、当該一つの永久磁石４のＳ極だけでなく、これに隣設された永久磁石４のＳ極にも到達することになる（図５参照）。このため、磁気を身体に対して深く且つ広範囲に浸透させることができ、肩こりをさらに効果的に解消することができる。
【００１６】
　前記ダミー部材２は、磁気治療具Ａの形状に応じて種々の形態のものが用いられる。例えば腰等に巻き付けるベルト形の磁気治療具Ａの製造に用いられるダミー部材２は、平板７に複数の永久磁石３を埋め込んだものが用いられる（図６参照）。この場合にも、永久磁石３は、隣り合う永久磁石３の極性が互いに逆極性になるように配列される（図７参照）。このベルト形の磁気治療具Ａは、ベルト用の生地（シート部材）８の一方の面を前記ダミー部材２に添わせ、他方の面に治療用の永久磁石４を供給することにより、当該生地に治療用の永久磁石４を配置することができる。
【００１７】
　図８は他の実施の形態を示す断面図である。この実施の形態においては、ダミー部材２に深い穴９を形成して、永久磁石３を当該穴９の底部に配置しているとともに、前記ダミー部材２の上面と永久磁石３の上面との間に、治療用の永久磁石４の厚みに相当する深さの空間１０を設けている。この場合には、生地８に配置された治療用の永久磁石４を当該生地８とともに前記空間１０に押し込むことにより、治療用の永久磁石４の上面をダミー部材２と略面一にすることができる。このため、治療用の永久磁石４を生地８に取り付ける際に、円形シート６を生地８とともにダミー部材２で受け止めることができる。この結果、円形シート６を生地８に容易に貼り付けることができる。
【図面の簡単な説明】
【００１８】
【図１】図１はこの発明の一実施形態に係る磁気治療具の製造方法を示す工程図である。
【図２】図２はダミー部材の一部欠截斜視図である。
【図３】図３は永久磁石の側面図である。
【図４】図４は永久磁石の配置状態を示す概略図である。
【図５】図５は磁気治療具の磁石の配列状態を示す概略図である。
【図６】図６は他の実施の形態を示す断面図である。
【図７】図７は永久磁石の配置状態を示す概略図である。
【図８】図８はさらに他の実施の形態を示す断面図である。
【符号の説明】
【００１９】
　１　　ダンクトップ
　２　　ダミー部材
　３　　永久磁石
　４　　治療用の永久磁石
　８　　布地（シート部材）
【図１】
2004113786.tif 000003
【図２】
2004113786.tif 000004
【図３】
2004113786.tif 000005
【図４】
2004113786.tif 000006
【図５】
2004113786.tif 000007
【図６】
2004113786.tif 000008
【図７】
2004113786.tif 000009
【図８】
2004113786.tif 000010